(57)【要約】【課題】表示系が持つ広い色再現範囲を有効に生かしつつ、撮像系と表示系の色再現範囲の相違に基づく、表示の視覚上の不自然さを軽減する。【解決手段】表示系の広い色再現範囲を入力画像に関係なく一律に圧縮するのではなく、入力画像に応じて動的に、視覚上の不自然さの指標となる不自然さ係数を補正係数として算出する。不自然に見えやすい色相範囲を特定色相範囲として定めておき、特定色相範囲内の色相を有する画像部位の彩度、その画像部位が画面全体に占める割合、その画像部位の輝度の少なくとも１つに基づいて、不自然さ係数を算出する。そして、不自然に見えにくい画像の色補正量を低く抑える一方で、不自然に見えやすい画像を重点的に補正する。【選択図】図３
2007324665.tif 000002
【特許請求の範囲】
【請求項１】
補正係数に従って入力画像の補正を行う画像補正装置において、
前記入力画像を形成する各画素の色相に基づいて、その入力画像に対する前記補正係数を算出する補正係数算出手段を備え、
前記補正係数算出手段は、
前記入力画像を形成する画素の内、第１、第２、・・・第ｎの特定色相範囲内に含まれる画素を、夫々、第１、第２、・・・第ｎ特定画素として特定し（ｎは１以上の整数）、
各第ｍ特定画素の彩度、前記入力画像の全画素数に対する第ｍ特定画素の数の割合、及び、各第ｍ特定画素の輝度、の少なくとも１つに基づいて、前記補正係数を算出する（但し、ｍは、１、２、・・・ｎの間の各整数をとる）
ことを特徴とする画像補正装置。
【請求項２】
前記第１〜第ｎの特定色相範囲外に含まれる画素を非特定画素とした場合、
前記補正係数算出手段は、前記第１〜第ｎ特定画素に対して行われる補正の度合いが前記非特定画素に対するそれよりも大きくなるように、前記補正係数を算出する
ことを特徴とする請求項１に記載の画像補正装置。
【請求項３】
前記補正係数算出手段は、各第ｍ特定画素の彩度が増加するに従って、より大きな度合いの補正が前記第ｍ特定画素全体に対して施されるように、前記補正係数を算出する（但し、ｍは、１、２、・・・ｎの間の各整数をとる）
ことを特徴とする請求項１または請求項２に記載の画像補正装置。
【請求項４】
前記補正係数算出手段は、前記第ｍ特定画素の数についての前記割合が増加するに従って、より大きな度合いの補正が前記第ｍ特定画素全体に対して施されるように、前記補正係数を算出する（但し、ｍは、１、２、・・・ｎの間の各整数をとる）
ことを特徴とする請求項１〜請求項３の何れかに記載の画像補正装置。
【請求項５】
前記補正係数算出手段は、各第ｍ特定画素の輝度が増加するに従って、より大きな度合いの補正が前記第ｍ特定画素全体に対して施されるように、前記補正係数を算出する（但し、ｍは、１、２、・・・ｎの間の各整数をとる）
ことを特徴とする請求項１〜請求項４の何れかに記載の画像補正装置。
【請求項６】
入力画像に対して補正を行う画像補正装置において、
補正せずに前記入力画像を表示部にて表示した場合における視覚上の不自然さが比較的大きい画素に対する補正の度合いを、前記不自然さが比較的小さい画素に対するそれよりも大きくする
ことを特徴とする画像補正装置。
【請求項７】
請求項１〜請求項６の何れかに記載の画像補正装置と、
前記画像補正装置による補正後の画像を表示する表示部と、を備えた
ことを特徴とする映像表示装置。
【請求項８】
補正係数に従って入力画像の補正を行う画像補正方法において、
前記入力画像を形成する各画素の色相を参照して、前記入力画像を形成する画素の内、第１、第２、・・・第ｎの特定色相範囲内に含まれる画素を、夫々、第１、第２、・・・第ｎ特定画素として特定し（ｎは１以上の整数）、
各第ｍ特定画素の彩度、前記入力画像の全画素数に対する第ｍ特定画素の数の割合、及び、各第ｍ特定画素の輝度、の少なくとも１つに基づいて、前記補正係数を算出する（但し、ｍは、１、２、・・・ｎの間の各整数をとる）
ことを特徴とする画像補正方法。
【発明の詳細な説明】
【技術分野】
【０００１】
本発明は、入力画像に対して色補正などの補正を行う画像補正装置及び画像補正方法に関する。また、本発明は、それらの画像補正装置及び画像補正方法を採用した映像表示装置に関する。
【背景技術】
【０００２】
撮像装置などの撮像系（映像入力系）からの出力信号によって表される色再現範囲と、映像表示装置などの表示系（映像出力系）にて表現可能な色再現範囲とは、異なることが多い。特に、近年、映像表示装置における色再現範囲の拡大についての開発が盛んであり、従来では表現し難かった微妙な色味を表示することが可能となってきている。
【０００３】
しかしながら、撮像系の色再現範囲と表示系の色再現範囲とが異なる場合、撮像系からの出力信号を表示系にてそのまま用いて映像表示を行うと、正確な色を再現することができない。
【０００４】
ｘｙ座標空間を表す図１３を用いて、このことについて補足説明する。図１３において、符号９０は、純色（単色光）を表す、色度図の境界である。また、符号９１が付された破線の三角形は、撮像系の色再現範囲を表しており、符号９２が付された実線の三角形は、表示系の色再現範囲を表している。また、色度図の略中央に位置する点９４が付された部分は、白色（無彩色）に対応している。白色から純色に向かうにつれて、色の鮮やかさ（即ち、彩度）が増す。
【０００５】
図１３に示す如く、撮像系の色再現範囲９１と表示系の色再現範囲９２が異なっている状態において、例えば、色再現範囲９１の三角形の頂点９５を表す映像信号をそのまま表示系に与えたとする。点９４から頂点９５に向かう方向に関し、頂点９５を表す映像信号は、撮像系にとっての最大彩度を表している。この最大彩度を表す映像信号を、そのまま表示系に与えると、表示系は、自身にとっての最大彩度を表現しようとする。つまり、表示系では、おおむね色再現範囲９２の三角形の頂点９６に対応する色が表示されることになる。頂点９５は黄色と緑を混ぜ合わせたような色に対応し、頂点９６はやや深い緑色に対応しているため、結果として、色が正確に再現されないことになり、表示系の出力を見るユーザは違和感を覚える。
【０００６】
このような色再現範囲の相違に対応するべく、従来は、図１４に示す如く、表示系の色再現範囲９２を、色再現範囲９１に合うように、一律に圧縮していた。つまり、例えば、撮像系から頂点９５に対応する映像信号を受けた場合、その映像信号に色補正処理を施して頂点９５に対応する色を表す補正映像信号を生成し、その補正映像信号を表示系に与えることによって、表示系に頂点９５に対応する色を表示させていた。この色補正は、色再現範囲内の各色に対応する映像信号に対して一律に行われる。
【０００７】
この種の色補正を行う技術は、例えば、下記特許文献１に記載されている。下記特許文献１に記載の手法では、一定の色変換マトリクスを用いて、第１色空間における入力色を第２色空間における所望の色に変換する。尚、この色変換マトリクスは、製品の製造段階において固定的に設定される。
【０００８】
【特許文献１】特開２００５−７９８３４号公報
【発明の開示】
【発明が解決しようとする課題】
【０００９】
しかしながら、上述のように、色再現範囲を一律に圧縮してしまうと、色補正があまり必要でない映像信号（入力画像）に対しても一律の色補正を行ってしまい、表示系が持つ広い色再現範囲を十分に生かすことができなくなってしまう。
【００１０】
そこで本発明は、色再現範囲を有効に生かしつつ、視覚上の不自然さを軽減することができる画像補正装置、画像補正方法及び映像表示装置を提供することを目的とする。
【課題を解決するための手段】
【００１１】
上記の目的を達成するために本発明に係る第１の画像補正装置は、補正係数に従って入力画像の補正を行う画像補正装置において、前記入力画像を形成する各画素の色相に基づいて、その入力画像に対する前記補正係数を算出する補正係数算出手段を備え、前記補正係数算出手段は、前記入力画像を形成する画素の内、第１、第２、・・・第ｎの特定色相範囲内に含まれる画素を、夫々、第１、第２、・・・第ｎ特定画素として特定し（ｎは１以上の整数）、各第ｍ特定画素の彩度、前記入力画像の全画素数に対する第ｍ特定画素の数の割合、及び、各第ｍ特定画素の輝度、の少なくとも１つに基づいて、前記補正係数を算出する（但し、ｍは、１、２、・・・ｎの間の各整数をとる）ことを特徴とする。
【００１２】
色再現範囲の相違に基づく視覚上の不自然さを軽減するべく、入力画像に対する補正が必要となるが、不自然に見える度合いは、入力画像の各画素の色相との関係における彩度の高低、入力画像内における色相の分布状態、入力画像の各画素の色相との関係における輝度の高低などに応じて異なる。これに着目し、入力画像の各画素の色相を参照して、その入力画像用の補正係数を動的に算出し、その補正係数を用いて補正を行う。例えば、入力画像の各画素の色相を参照して、不自然に見えにくい画像の補正を低く抑える一方で不自然に見えやすい画像を重点的に補正するような補正係数を算出する。これにより、必要以上の補正の抑制によって色再現範囲を生かしつつ、視覚上の不自然さを軽減する、といったことが可能となりうる。
【００１３】
例えば、視覚上の不自然さの発生に比較的大きく寄与する色相範囲を特定色相範囲として設定する。そうすると、特定色相範囲内の色相を有する画像部位の彩度、その画像部位が画面全体に占める割合、及び、その画像部位の輝度は、それぞれ、視覚上の不自然さの発生に比較的大きく寄与する。そこで、これらの少なくとも１つに基づいて、適切な補正係数を算出するようにする。これにより、入力画像に応じた適切な補正が実施可能となる。
【００１４】
また例えば、前記第１〜第ｎの特定色相範囲外に含まれる画素を非特定画素とした場合、前記補正係数算出手段は、前記第１〜第ｎ特定画素に対して行われる補正の度合いが前記非特定画素に対するそれよりも大きくなるように、前記補正係数を算出する。
【００１５】
これにより、不自然に見えにくい画像の補正の度合いを低減させて色再現範囲を有効に生かす一方、不自然に見えやすい画像を重点的に補正して不自然さを軽減する、といったことが可能となる。
【００１６】
また具体的には例えば、前記補正係数算出手段は、各第ｍ特定画素の彩度が増加するに従って、より大きな度合いの補正が前記第ｍ特定画素全体に対して施されるように、前記補正係数を算出する（但し、ｍは、１、２、・・・ｎの間の各整数をとる）。
【００１７】
特定色相範囲内の色相を有する画像部位の彩度が、比較的高ければ不自然に見えやすく、逆に比較的低ければ不自然に見えにくい。そこで、上記の如く構成する。これにより、色再現範囲の有効利用と不自然さ軽減の両立を期待できる。
【００１８】
また具体的には例えば、前記補正係数算出手段は、前記第ｍ特定画素の数についての前記割合が増加するに従って、より大きな度合いの補正が前記第ｍ特定画素全体に対して施されるように、前記補正係数を算出する（但し、ｍは、１、２、・・・ｎの間の各整数をとる）。
【００１９】
特定色相範囲内の色相を有する画像部位の画面全体に占める割合が、比較的高ければ不自然に見えやすく、逆に比較的低ければ不自然に見えにくい。そこで、上記の如く構成する。これにより、色再現範囲の有効利用と不自然さ軽減の両立を期待できる。
【００２０】
また具体的には例えば、前記補正係数算出手段は、各第ｍ特定画素の輝度が増加するに従って、より大きな度合いの補正が前記第ｍ特定画素全体に対して施されるように、前記補正係数を算出する（但し、ｍは、１、２、・・・ｎの間の各整数をとる）。
【００２１】
特定色相範囲内の色相を有する画像部位の輝度が、比較的高ければ不自然に見えやすく、逆に比較的低ければ不自然に見えにくい。そこで、上記の如く構成する。これにより、色再現範囲の有効利用と不自然さ軽減の両立を期待できる。
【００２２】
また、上記の目的を達成するために本発明に係る第２の画像補正装置は、入力画像に対して補正を行う画像補正装置において、補正せずに前記入力画像を表示部にて表示した場合における視覚上の不自然さが比較的大きい画素に対する補正の度合いを、前記不自然さが比較的小さい画素に対するそれよりも大きくすることを特徴とする。
【００２３】
一律の補正を行うのではなく、発生しうる不自然さの度合いを考慮して補正することにより、色再現範囲を有効に生かしつつ、視覚上の不自然さを軽減するといった効果が期待できる。
【００２４】
そして、上記の第１又は第２の画像補正装置と、画像補正装置による補正後の画像を表示する表示部と、を設けた映像表示装置を形成すると良い。
【００２５】
また、上記の目的を達成するために本発明に係る画像補正方法は、補正係数に従って入力画像の補正を行う画像補正方法において、前記入力画像を形成する各画素の色相を参照して、前記入力画像を形成する画素の内、第１、第２、・・・第ｎの特定色相範囲内に含まれる画素を、夫々、第１、第２、・・・第ｎ特定画素として特定し（ｎは１以上の整数）、各第ｍ特定画素の彩度、前記入力画像の全画素数に対する第ｍ特定画素の数の割合、及び、各第ｍ特定画素の輝度、の少なくとも１つに基づいて、前記補正係数を算出する（但し、ｍは、１、２、・・・ｎの間の各整数をとる）ことを特徴とする。
【発明の効果】
【００２６】
本発明によれば、色再現範囲を有効に生かしつつ、視覚上の不自然さを軽減することが可能である。
【発明を実施するための最良の形態】
【００２７】
以下、本発明の実施の形態につき、図面を参照して具体的に説明する。参照される各図において、同一の部分には同一の符号を付す。後に第１及び第２実施例を説明するが、先に各実施例に共通する事項について説明する。
【００２８】
図１は、本発明の実施の形態に係る映像表示装置１の構成ブロック図である。映像表示装置１は、映像処理部２、ドライバ３及び表示部４を有して構成される。
【００２９】
映像表示装置１は、例えば、デジタルスチルカメラやデジタルビデオカメラなどに設けられる。また、例えば、映像表示装置１は、テレビ受信機である。
【００３０】
映像表示装置１には、外部から映像信号が与えられる。この映像信号は、例えば、デジタルスチルカメラやデジタルビデオカメラで撮影された静止画もしくは動画を表す信号、または、放送局にて撮影されて放送された映像（画像）を表す映像信号である。放送局からの映像（画像）を表す映像信号は、アンテナやケーブルなどを介して映像表示装置１に伝達される。
【００３１】
映像表示装置１に与えられた映像信号は、映像処理部２に伝達され、映像処理部２において、該映像信号には適切な映像処理が施される。映像処理部２には色補正処理部が含まれ、上記映像処理には該色補正処理部による色補正処理が含まれる。ドライバ３は、その色補正処理後の映像信号を映像処理部２から受け、その色補正処理後の映像信号にて表される映像（画像）を表示部４に表示させる。
【００３２】
表示部４は、液晶ディスプレイパネル、プラズマディスプレイパネル、有機ＥＬ（electro-luminescence）ディスプレイパネル、無機ＥＬディスプレイパネルなどの任意の表示パネル、リアプロジェクションディスプレイ、フロントプロジェククター、或いは、ブラウン管などである。
【００３３】
映像表示装置１に与えられる映像信号の色再現範囲が図１３の色再現範囲９１のように比較的狭く、表示部４の色再現範囲が図１３の色再現範囲９２のように比較的広い場合を想定する。
【００３４】
後述する各実施例において、色補正処理部による色補正処理の対象となる各画像を、色補正処理部への入力画像（或いは単に入力画像）と呼び、色補正処理部による色補正処理後の各画像を、色補正処理部の出力画像（或いは単に出力画像）と呼ぶ。図２に、入力画像（または出力画像）を形成する各画素の配列を示す。各画素の配列を、画像の原点Ｘを基準としたＩ行Ｊ列の行列として捉え、各画素をＰ［ｉ，ｊ］で表す。ここで、Ｉ及びＪは、それぞれ２以上の整数であり、ｉは１〜Ｉの間の各整数をとり、ｊは１〜Ｊの間の各整数をとる。
【００３５】
入力画像及び出力画像は、夫々、輝度を表す輝度信号Ｙと色を表す色差信号ＲＹ及びＢＹとによって表される。色差信号ＲＹは輝度と赤色成分の差を表し、色差信号ＢＹは輝度と青色成分の差を表す。或る画素に関し、その画素に対応する色が白色から純色に向かうにつれ、その画素に対応する色差信号ＲＹ及びＢＹの値は増大する。
【００３６】
入力画像の画素Ｐ［ｉ，ｊ］についての、輝度信号の値、色差信号ＲＹの値及び色差信号ＢＹの値を、それぞれ、Ｙ［ｉ，ｊ］、ＲＹ［ｉ，ｊ］及びＢＹ［ｉ，ｊ］にて表す。また、出力画像の画素Ｐ［ｉ，ｊ］についての、色差信号ＲＹの値及び色差信号ＢＹの値を、それぞれ、ＲＹｃ［ｉ，ｊ］及びＢＹｃ［ｉ，ｊ］にて表す。入力画像と出力画像の輝度信号は同じである。
【００３７】
尚、入力画像及び出力画像の色情報を表す信号が色差信号である場合を例に挙げて、各実施例を説明するが、当然、色差信号の代わりにＲＧＢ信号などを用いることも可能である。また、以下の説明において、単に、画素といった場合、それは入力画像における画素を意味するものとする。また、特に記述しない限り、１つの入力画像に着目して、動作等の説明を行うものとする。
【００３８】
＜＜第１実施例＞＞
まず、第１実施例について説明する。図３は、第１実施例に係る色補正処理部１０の内部ブロック図である。図３の色補正処理部１０は、図１の映像処理部２における色補正処理部として適用可能である。
【００３９】
色補正処理部１０は、色相・彩度算出部１１、不自然さ係数算出部１２及び色補正部１３を有する。
【００４０】
色相・彩度算出部１１は、入力画像の色差信号に基づいて、入力画像の各画素の色相及び彩度を算出する。算出された各画素の色相及び彩度は、不自然さ係数算出部１２及び色補正部１３に送られる。
【００４１】
色相は、一般的に知られるように、赤、黄、緑、シアン、青、マゼンダなどの言葉で表現することで特性づけられる、知覚色の３属性の１つである。図４に示す如く、色相を、色相環上における、色差信号ＢＹを基準とした０〜３６０°の角度によって表す。尚、色相環は、一般的に知られるように、色票を環状に並べたものである。
【００４２】
画素Ｐ［ｉ，ｊ］についての色相をＨ［ｉ，ｊ］で表す。色相・彩度算出部１１は、下記式（１）に従って、各画素についての色相Ｈ［ｉ，ｊ］を算出する。色相の定義から導かれるが、色相は、色差信号ＲＹとＢＹの成す角度によって表される。この角度をθにて表記する。尚、例えば、或る画素に対応する角度θが０°であるとき、その画素は、青とマゼンダの間の色を持つ（図４参照）。
【００４３】
【数１】
2007324665.tif 000003
【００４４】
また、彩度は、一般的に知られるように、色の鮮やかさ（色の純度）を示す。彩度が大きければ純粋な色に近づき、反対に彩度が低ければ濁った色（グレーなど）に近づく。本明細書では、彩度の値は、０〜１００％の範囲内の値をとるものとする。無彩色の彩度は０％となり、純色の彩度は１００％となる。
【００４５】
画素Ｐ［ｉ，ｊ］についての彩度をＳ［ｉ，ｊ］で表す。色相・彩度算出部１１は、下記式（２）に従って、各画素についての彩度Ｓ［ｉ，ｊ］を算出する。彩度の定義から導かれるが、彩度は、色差信号ＲＹ及びＢＹの二乗和の平方根によって表される。
【００４６】
【数２】
2007324665.tif 000004
【００４７】
図３の色補正部１３は、入力画像の各画素についての色差信号に対して色補正処理を施し、色補正処理後の色差信号を出力する。色補正処理部１０の出力画像は、この色補正処理後の色差信号と、輝度信号と、よって表される。色補正部１３における色補正（色補正処理）は、色相・彩度算出部１１によって算出された各画素についての色相及び彩度と、不自然さ係数算出部１２によって算出された任意の色相についての不自然さ係数γ［θ］と、を参照して実施される。
【００４８】
算出法などは後に詳説するが、不自然さ係数γ［θ］は、色差信号ＲＹとＢＹの成す角度を表すθの関数として表現される。不自然さ係数γ［θ］は、不自然さ係数γ［θ］の基となる入力画像に対して色補正を実施しなかった場合における、表示部４による表示の不自然さを表す指標（主観的評価で、ユーザが、記憶または認識している色とは異なると感じる程度に関する指標）であり、不自然に見える程度は、色相によって異なる。
【００４９】
また、色補正部１３では、不自然さ係数γ［θ］が大きくなるに従って、より大きな度合い（補正量）の色補正が実施される。従って、不自然さ係数算出部１２は、不自然さを無くすために比較的大きな度合いの色補正を必要とする入力画像に対して、比較的大きな値を有する不自然さ係数γ［θ］を算出するようにしている。これを実現するために、不自然さ係数算出部１２は、どのような入力画像が色補正を多く必要としているのかを考慮した算出処理を行う。
【００５０】
［図５；不自然さ係数算出部１２］
図５に、不自然さ係数算出部１２の内部ブロック図を示す。不自然さ係数算出部１２は、特定色相範囲内の高彩度度合算出部１４（以下、算出部１４と略記する）と、特定色相範囲内の不自然さ係数算出部１５（以下、算出部１５と略記する）と、色相毎の不自然さ係数算出部１６（以下、算出部１６と略記する）と、を有する。
【００５１】
特定色相範囲とは、比較的大きな度合いの色補正を必要とする色相の範囲を意味する。従って、或る入力画像に関し、特定色相範囲内に含まれる色相を持つ画素の色差信号に色補正を実施しなかった場合、その画素を含む画像部位の視覚的な不自然さは比較的大きくなる。逆に、特定色相範囲外の色相を持つ画素の色差信号に色補正を実施しなかった場合は、その画素を含む画像部位の視覚的な不自然さは比較的小さい。
【００５２】
特定色相範囲は、色補正部１３による色補正によって視覚的な不自然さがなるだけ軽減されるように、入力画像の色再現範囲、図１の表示部４の色再現範囲などを考慮して、予め設定される。本実施例では、１０３．５°≦θ＜１６７．６°に対応する赤から黄の色相範囲（以下、ＲＹ色相範囲という）と、２４０．６°≦θ＜２８３．５°に対応する緑からシアンの色相範囲（以下、ＧＣ色相範囲という）と、３４７．６°≦θ＜０°と０°≦θ＜６０．６°に対応する青からマゼンダの色相範囲（以下、ＢＭ色相範囲という）と、が特定色相範囲（合計３つの特定色相範囲）として選定された場合を例とする。
【００５３】
従って、この場合、黄から緑の色相範囲（以下、ＹＧ色相範囲という）と、シアンから青の色相範囲（以下、ＣＢ色相範囲という）と、マゼンダから赤の色相範囲（以下、ＭＲ色相範囲という）は、特定色相範囲外となる。本実施例では、上述の如く、全色相範囲が、６つの色相範囲にて分割された場合を想定する。
【００５４】
――――彩度パラメータβRY、βGC及びβBMの算出――――
図５の算出部１４は、色相・彩度算出部１１によって算出された各画素の色相及び彩度に基づいて、特定色相範囲ごとに、特定色相範囲内の高彩度の度合いを表す彩度パラメータを算出する。より具体的には、ＲＹ色相範囲、ＧＣ色相範囲及びＢＭ色相範囲に対応する彩度パラメータとして、夫々、彩度パラメータβRY、βGC及びβBMを算出する。
【００５５】
特定色相範囲内の高彩度の度合いとは、特定色相範囲内に含まれる画素の彩度の、全体的な高さ（入力画像全体における平均的高さ）を表している。その度合い（彩度パラメータ）が低い場合は、あまり色補正を施さなかったとしても不自然には見えない。つまり、特定色相範囲内の色相を有する画像部位の彩度が全体的に低ければ（全体的に白っぽければ）、それほど色補正を施さなくても不自然には見えない。逆に、その度合い（彩度パラメータ）が高い場合は、比較的大きな度合いの色補正が必要となる。
【００５６】
これを考慮して、彩度パラメータβRY、βGC及びβBMは算出される。後の説明から明らかとなるが、彩度パラメータが大きくなるに従って、入力画像全体に対し、より大きな度合いの色補正が施される。
【００５７】
算出部１４による「彩度パラメータβRYの算出法」について説明する。
（ａ）まず、算出された各色相Ｈ［ｉ，ｊ］に基づいて、入力画像を形成する画素ごとに、画素の色相がＲＹ色相範囲内に含まれるかを検出する。
【００５８】
（ｂ）次に、ＲＹ色相範囲内に含まれると検出された画素に対して、彩度の比重値を算出する。画素Ｐ［ｉ，ｊ］に対する彩度の比重値をＷ1［ｉ，ｊ］と表記する。比重値Ｗ1［ｉ，ｊ］は、図６の直線７１に表されるような関数に従って決定される。つまり、例えば、下記式（３）に従って、比重値Ｗ1［ｉ，ｊ］を算出する。ここで、０＜ｋ1≦１、が成立する。
【００５９】
【数３】
2007324665.tif 000005
【００６０】
（ｃ）そして、ＲＹ色相範囲内に含まれると検出された画素全てについての比重値Ｗ1［ｉ，ｊ］の総和ＢRYを、ＲＹ色相範囲内に含まれる画素の総数ＡRYで割ることにより、彩度パラメータβRYを算出する。彩度パラメータβRYは、下記式（４）によって表される。尚、彩度パラメータβRYの導出法から明らかなように、０≦βRY≦１が成立する。また、式（４）を用いるに当たり、ＲＹ色相範囲内に含まれない画素についての比重値Ｗ1［ｉ，ｊ］はゼロとされる。
【００６１】
【数４】
2007324665.tif 000006
【００６２】
同様にして、彩度パラメータβGC及びβBMを算出する。彩度パラメータβGC及びβBMを算出する際は、上記式（４）を含む、上述の「彩度パラメータβRYの算出法」の説明文中における“ＲＹ”を、夫々、“ＧＣ”及び“ＢＭ”に読み替えればよい。但し、ＲＹ色相範囲にとっての係数ｋ1と、ＧＣ色相範囲にとっての係数ｋ1と、ＢＭ色相範囲にとっての係数ｋ1は、同じ或いは異なる値とされる（上記式（３）参照）。
【００６３】
――――特定色相範囲ごとの不自然さ係数γRY、γGC及びγBMの算出――――
図５の算出部１５は、算出部１４にて算出された彩度パラメータβRY、βGC及びβBMに基づいて、特定色相範囲ごとに、不自然さ係数を算出する。つまり、ＲＹ色相範囲に対応する不自然さ係数γRYと、ＧＣ色相範囲に対応する不自然さ係数γGCと、ＢＭ色相範囲に対応する不自然さ係数γBMとを算出する。不自然さ係数γRY、γGC及びγBMは、夫々、０以上１以下の値とされる。具体的には、例えば、下記式（５ａ）、（５ｂ）及び（５ｃ）に従って、特定色相範囲ごとの不自然さ係数γRY、γGC及びγBMを算出する。
【００６４】
【数５】
2007324665.tif 000007
【００６５】
また、特定色相範囲外に対応する不自然さ係数も、算出部１５によって算出される。例えば、特定色相範囲外に対応する不自然さ係数はゼロとされる。図７に、算出部１５によって算出された各色相範囲に対応する不自然さ係数を表す。図７において、横軸は色相、縦軸は不自然さ係数を表す。
【００６６】
――――任意色相に対する不自然さ係数γ［θ］の算出――――
図５の算出部１６は、算出部１５にて算出された、色相範囲ごとの不自然さ係数（合計６つ）に基づいて、任意の色相に対する不自然さ係数γ［θ］（換言すれば、色相毎の不自然さ係数γ［θ］）を算出する。
【００６７】
具体的には例えば、まず、ＭＲ色相範囲、ＲＹ色相範囲、ＹＧ色相範囲、ＧＣ色相範囲、ＣＢ色相範囲及びＢＭ色相範囲の夫々について、代表色相を定める。例えば、各色相範囲の中間色相を、代表色相を定める。つまり例えば、ＲＹ色相範囲についての代表色相を表す角度θは、（１０３．５°＋１６７．６°）／２、とされる（図４など参照）。
【００６８】
また、各代表色相に対応する不自然さ係数を、算出部１５にて算出された不自然さ係数とする。即ち、ＭＲ色相範囲、ＲＹ色相範囲、ＹＧ色相範囲、ＧＣ色相範囲、ＣＢ色相範囲及びＢＭ色相範囲の代表色相に対応する不自然さ係数を、夫々、０、γRY、０、γGC、０及びγBMとする。
【００６９】
そして、図８に示す如く、横軸を色相、縦軸を不自然さ係数にとった座標系において、隣接する色相範囲間で不自然さ係数が連続して変化するように、隣接する色相範囲の代表色相間の不自然さ係数を線形補間することによって、任意の色相に対する不自然さ係数γ［θ］を決定する。これにより、例えば、赤の色相に対応する不自然さ係数（γ［θ］＝γ［１０３．５°］）は、（０＋γRY）／２、となる。尚、任意の色相に対して、常に、０≦γ［θ］≦１、が成立する。
【００７０】
算出された任意の色相に対する不自然さ係数γ［θ］は、図３の色補正部１３に伝達される。この際、例えば、全色相範囲を微小な色相ブロック（例えば、角度θの１°ごと）にて分割し、各色相ブロックに対する不自然さ係数を色補正部１３に伝達する。この場合、色補正部１３に伝達される不自然さ係数γ［θ］は、上記の色相ブロックの個数分の離散値から構成されることになる。
【００７１】
また、不自然さ係数γ［θ］の値を色相に応じて算出するための関数式などを算出部１６にて決定し、この関数式などを色補正部１３に伝達するようにしてもよい。この場合、色補正部１３が、この関数式を用いて、実際の不自然さ係数γ［θ］の値を算出し、これを色補正に利用する。
【００７２】
［図９；色補正部１３］
次に、図３の色補正部１３について説明する。図９は、色補正部１３の内部ブロック図である。色補正部１３は、画素毎の不自然さ係数算出部１７と、色補正演算部１８と、を有する。
【００７３】
――――画素不自然さ係数δ［ｉ，ｊ］の算出――――
画素毎の不自然さ係数算出部１７は、図３の色相・彩度算出部１１にて算出された各画素の色相及び彩度と、図５の算出部１６にて算出された不自然さ係数γ［θ］と、に基づいて、画素ごとに不自然さ係数を算出する。ここで算出される、画素Ｐ［ｉ，ｊ］に対する不自然さ係数をδ［ｉ，ｊ］で表し、それを、以下、画素不自然さ係数δ［ｉ，ｊ］と呼ぶ。画素不自然さ係数δ［ｉ，ｊ］が大きいほど、より度合いの大きな色補正が施されることになる。
【００７４】
画素不自然さ係数δ［ｉ，ｊ］の算出法について説明する。
（ａ）まず、各画素Ｐ［ｉ，ｊ］の色相Ｈ［ｉ，ｊ］に対応する不自然さ係数γ［θ］を、暫定不自然さ係数γH［ｉ，ｊ］として算出する。例えば、或る画素の色相を表す角度θが、赤の色相に対応する１０３．５°であるならば、その画素についての暫定不自然さ係数は、（０＋γRY）／２、となる。
【００７５】
（ｂ）次に、各画素の彩度の比重値Ｗ1［ｉ，ｊ］を算出する。この比重値Ｗ1［ｉ，ｊ］は、図６を参照して説明した上述の比重値と同じものである。比重値Ｗ1［ｉ，ｊ］は、例えば、上記式（３）に従って算出される。
【００７６】
（ｃ）最後に、下記式（６）に従って、画素毎に、画素不自然さ係数δ［ｉ，ｊ］を算出する。画素不自然さ係数δ［ｉ，ｊ］は、各画素に対する色補正の度合い（即ち、補正量）を表す。
【００７７】
【数６】
2007324665.tif 000008
【００７８】
――――色補正演算――――
色補正演算部１８は、画素毎に算出された画素不自然さ係数δ［ｉ，ｊ］を用いて、色差信号ＲＹ［ｉ，ｊ］及びＢＹ［ｉ，ｊ］を補正し、補正後の色差信号ＲＹｃ［ｉ，ｊ］及びＢＹｃ［ｉ，ｊ］を、色補正処理部の出力画像の色情報を表す色差信号として出力する。画素不自然さ係数δ［ｉ，ｊ］が大きい画素に対して、より大きな度合いの色補正を施す。具体的には例えば、下記式（７ａ）及び（７ｂ）に従って、色差信号ＲＹｃ［ｉ，ｊ］及びＢＹｃ［ｉ，ｊ］を算出する。
【００７９】
【数７】
2007324665.tif 000009
【００８０】
不自然さ係数γ［θ］は、角度θに対応する色相を有した画素に対して施されるべき色補正の度合いを表し、上述の説明から理解されるように、色補正がなかったならば不自然に見えやすい色相に対する不自然さ係数γ［θ］は比較的大きな値となっている（図７及び図８など参照）。しかしながら、不自然に見えやすい色相ではあっても、彩度が低い場合は、あまり色補正を施さなくても不自然には見えない。
【００８１】
そこで、上述のごとく、色相に応じた不自然さ係数γ［θ］を基本としつつ（いわば上限としつつ）、彩度に応じて各画素に対する画素不自然さ係数δ［ｉ，ｊ］を算出する。この際、彩度に応じて画素不自然さ係数δ［ｉ，ｊ］を連続的に変化させ、彩度が低ければ低いほど、その彩度が低い画素に対応する画素不自然さ係数δ［ｉ，ｊ］を小さくする。
【００８２】
そして、色補正演算部１８によって、入力画像の彩度を補正する。この際、画素不自然さ係数δ［ｉ，ｊ］が大きい画素に対して、大きな度合いの補正を施す。色補正を実施しなければ不自然に見えやすい画素に対する画素不自然さ係数δ［ｉ，ｊ］は、そうでない画素に対するそれよりも大きくなるので、前者に対する色補正の度合いは、後者に対するそれよりも大きくなる。
【００８３】
また、画素不自然さ係数δ［ｉ，ｊ］の基となる不自然さ係数γ［θ］は、入力画像全体の彩度の傾向に応じて決定される。入力画像を全体的に見たときに、特定色相範囲に対応する画素の彩度が比較的高い入力画像、即ち、色補正を実施しなければ不自然に見えやすい入力画像に対しては、不自然さ係数γ［θ］は比較的大きくされ、そうでない入力画像に対しては、不自然さ係数γ［θ］は比較的小さくされる。
【００８４】
このように、従来技術の如く入力画像に関係なく色再現範囲を一定に圧縮するのではなく、入力画像の傾向に応じて、色補正の度合い及び色補正を施すべき色範囲を動的に決定する。これにより、不自然に見えにくい入力画像又は画像部位（色範囲）に対しては比較的小さな度合いの色補正が施され（或いは、全く色補正が施されず）、且つ、不自然に見えやすい入力画像又は画像部位（色範囲）に対しては比較的大きな度合いの色補正が施される。この結果、図１の表示部４が持つ広い色再現範囲を生かしつつ、撮像系と表示系の色再現範囲の相違に起因する表示の不自然さを軽減することが可能となる。
【００８５】
＜＜第２実施例＞＞
次に、第２実施例について説明する。図１０は、第２実施例に係る色補正処理部１０ａの内部ブロック図である。図１０の色補正処理部１０ａは、図１の映像処理部２における色補正処理部として適用可能である。また、第１実施例に記載した事項は、矛盾なき限り、第２実施例に対しても適用される。第１実施例において説明した事項の重複する説明は、第２実施例において省略される。
【００８６】
色補正処理部１０ａは、色相・彩度算出部１１、不自然さ係数算出部１２ａ及び色補正部１３を有する。色補正処理部１０ａにおける色相・彩度算出部１１及び色補正部１３は、第１実施例（図３）におけるそれらと同じものである。
【００８７】
［図１１；不自然さ係数算出部１２ａ］
図１１に、不自然さ係数算出部１２ａの内部ブロック図を示す。不自然さ係数算出部１２ａは、特定色相範囲内の高彩度度合算出部１４（第１実施例と同様、以下、算出部１４と略記する）と、特定色相範囲内の不自然さ係数算出部１５ａ（以下、算出部１５ａと略記する）と、色相毎の不自然さ係数算出部１６（第１実施例と同様、以下、算出部１６と略記する）と、を有する。算出部１４及び算出部１６は、第１実施例（図５）におけるそれらと同じものである。
【００８８】
これに加えて、不自然さ係数算出部１２ａは、特定色相範囲内の画素数割合算出部２１（以下、算出部２１と略記する）と、特定色相範囲内の高輝度度合算出部２２（以下、算出部２２と略記する）と、を有する。
【００８９】
第２実施例においても、第１実施例と同様、特定色相範囲が、ＲＹ色相範囲、ＧＣ色相範囲及びＢＭ色相範囲であるとする。
【００９０】
――――彩度パラメータβRY、βGC及びβBMの算出――――
図１１の算出部１４は、第１実施例と同様、色相・彩度算出部１１によって算出された各画素の色相及び彩度に基づいて、特定色相範囲内の高彩度の度合いを表す彩度パラメータβRY、βGC及びβBMを算出する。
【００９１】
――――割合パラメータαRY、αGC及びαBMの算出――――
図１１の算出部２１は、色相・彩度算出部１１によって算出された各画素の色相を参照して、特定色相範囲ごとに、入力画像の全画素数に対する特定色相範囲内の画素数の割合を算出する。ＲＹ色相範囲、ＧＣ色相範囲及びＢＭ色相範囲について算出された各割合を、夫々、画素割合パラメータαRY、αGC及びαBMとすると、画素割合パラメータαRY、αGC及びαBMは、夫々、下記式（８ａ）、（８ｂ）及び（８ｃ）に従って算出される。画素割合パラメータが低い場合は、あまり色補正を施さなかったとしても不自然には見えない。
【００９２】
【数８】
2007324665.tif 000010
【００９３】
ここで、ＡRY、ＡGC、ＡBMは、夫々、ＲＹ色相範囲内に含まれる色相を有する画素の総数、ＧＣ色相範囲内に含まれる色相を有する画素の総数、ＢＭ色相範囲内に含まれる色相を有する画素の総数である。ＡTOTALは、入力画像の全画素数（即ち、Ｉ×Ｊ）である。
【００９４】
――――輝度パラメータφRY、φGC及びφBMの算出――――
図１１の算出部２２は、色相・彩度算出部１１によって算出された各画素の色相と、入力画像の各画素の輝度を表す輝度信号Ｙ［ｉ，ｊ］とに基づいて、特定色相範囲ごとに、特定色相範囲内の高輝度の度合いを表す輝度パラメータを算出する。より具体的には、ＲＹ色相範囲、ＧＣ色相範囲及びＢＭ色相範囲に対応する輝度パラメータとして、夫々、輝度パラメータφRY、φGC及びφBMを算出する。
【００９５】
特定色相範囲内の高輝度の度合いとは、特定色相範囲内に含まれる画素の輝度の、全体的な高さ（入力画像全体における平均的高さ）を表している。その度合い（輝度パラメータ）が低い場合は、あまり色補正を施さなかったとしても不自然には見えない。
【００９６】
算出部２２による「輝度パラメータφRYの算出法」について説明する。
（ａ）まず、算出された各色相Ｈ［ｉ，ｊ］に基づいて、入力画像を形成する画素ごとに、画素の色相がＲＹ色相範囲内に含まれるかを検出する。
【００９７】
（ｂ）次に、ＲＹ色相範囲内に含まれると検出された画素に対して、輝度の比重値を算出する。画素Ｐ［ｉ，ｊ］に対する輝度の比重値をＷ2［ｉ，ｊ］と表記する。比重値Ｗ2［ｉ，ｊ］は、図１２の直線７２に表されるような関数に従って決定される。つまり、例えば、下記式（９）に従って、比重値Ｗ2［ｉ，ｊ］を算出する。尚、各画素に関し、輝度信号の値を表すＹ［ｉ，ｊ］は、輝度が増大するにつれて増加するものとする。また、例えば、あらゆる輝度信号値に対して、常に、０≦Ｗ2［ｉ，ｊ］≦１、が成立するように、係数ｋ2は設定される。
【００９８】
【数９】
2007324665.tif 000011
【００９９】
（ｃ）そして、ＲＹ色相範囲内に含まれると検出された画素全てについての比重値Ｗ2［ｉ，ｊ］の総和ＶRYを、ＲＹ色相範囲内に含まれる画素の総数ＡRYで割ることにより、輝度パラメータφRYを算出する。輝度パラメータφRYは、下記式（１０）によって表される。尚、式（１０）を用いるに当たり、ＲＹ色相範囲内に含まれない画素についての比重値Ｗ2［ｉ，ｊ］はゼロとされる。
【０１００】
【数１０】
2007324665.tif 000012
【０１０１】
また、ＲＹ色相範囲内に含まれる画素の平均輝度を輝度パラメータφRYとして算出することも可能である。これは、式（１０）におけるＷ2［ｉ，ｊ］をＹ［ｉ，ｊ］に置換した上で輝度パラメータφRYを算出することと等価である。但し、この場合、得られる輝度パラメータφRYが常に０以上１以下の値をとるように、Ｙ［ｉ，ｊ］の数値レベルなどを規格化する。
【０１０２】
同様にして、輝度パラメータφGC及びφBMを算出する。輝度パラメータφGC及びφBMを算出する際は、上記式（１０）を含む、上述の「輝度パラメータφRYの算出法」の説明文中における“ＲＹ”を、夫々、“ＧＣ”及び“ＢＭ”に読み替えればよい。但し、ＲＹ色相範囲にとっての係数ｋ2と、ＧＣ色相範囲にとっての係数ｋ2と、ＢＭ色相範囲にとっての係数ｋ2は、同じ或いは異なる値とされる（上記式（９）参照）。
【０１０３】
――――特定色相範囲ごとの不自然さ係数γRY、γGC及びγBMの算出――――
図１１の算出部１５ａは、算出部１４にて算出された彩度パラメータβRY、βGC及びβBMと、算出部２１にて算出された画素割合パラメータαRY、αGC及びαBMと、算出部２２にて算出された輝度パラメータφRY、φGC及びφBMとに基づいて、ＲＹ色相範囲に対応する不自然さ係数γRYと、ＧＣ色相範囲に対応する不自然さ係数γGCと、ＢＭ色相範囲に対応する不自然さ係数γBMとを算出する。不自然さ係数γRY、γGC及びγBMは、夫々、０以上１以下の値となる。具体的には、例えば、下記式（１１ａ）、（１１ｂ）及び（１１ｃ）に従って、不自然さ係数γRY、γGC及びγBMを算出する。
【０１０４】
【数１１】
2007324665.tif 000013
【０１０５】
また、特定色相範囲外に対応する不自然さ係数も、算出部１５ａによって算出される。例えば、特定色相範囲外に対応する不自然さ係数はゼロとされる。これにより、第１実施例と同様、図７に示すような、各色相範囲に対応する不自然さ係数が算出される。算出された各不自然さ係数は、算出部１６に送られる。
【０１０６】
図１１の算出部１６は、第１実施例（図５参照）と同様、算出部１５ａにて算出された色相範囲ごとの不自然さ係数に基づいて、任意の色相に対する不自然さ係数γ［θ］を算出し、これを図１０の色補正部１３に与える。図１０の色補正部１３は、第１実施例（図９参照）と同様にして、色差信号ＲＹ及びＢＹを補正する。
【０１０７】
上述の如く色補正を行うことの意義を考察する。まず、第１に、彩度パラメータが低い場合は、あまり色補正を施さなかったとしても不自然には見えない。特定色相範囲内の色相を有する画像部位の彩度が全体的に低ければ（全体的に白っぽければ）、それほど色補正を施さなくても不自然には見えないからである。
【０１０８】
第２に、画素割合パラメータが低い場合においても、あまり色補正を施さなかったとしても不自然には見えない。特定色相範囲内の色相を有する画素の画面全体に対する割合が少なければ、即ち、不自然さに大きく寄与する画素の数が少なければ、それほど色補正を施さなくても不自然には見えないからである。
【０１０９】
第３に、輝度パラメータが低い場合においても、あまり色補正を施さなかったとしても不自然には見えない。特定色相範囲内の色相を有する画像部位の輝度が全体的に低ければ、即ち、不自然さに大きく寄与する画素が全体的に暗ければ、それほど色補正を施さなくても不自然には見えないからである。
【０１１０】
第２実施例では、これらを総合的に考慮し、上記式（１１ａ）等を用いて、不自然さの指標となる不自然さ係数を算出し、これに応じた色補正を実施する。これにより、不自然に見えにくい入力画像又は画像部位（色範囲）に対しては比較的小さな度合いの色補正が施され（或いは、全く色補正が施されず）、且つ、不自然に見えやすい入力画像又は画像部位（色範囲）に対しては比較的大きな度合いの色補正が施される。この結果、図１の表示部４が持つ広い色再現範囲を生かしつつ、撮像系と表示系の色再現範囲の相違に起因する表示の不自然さを軽減することが可能となる。
【０１１１】
また、第２実施例では、彩度パラメータ、画素割合パラメータ及び輝度パラメータの全てを考慮して不自然さ係数を算出しているが、上述の説明から明らかなように、彩度パラメータ、画素割合パラメータ及び輝度パラメータは、個別に、不自然さの指標となりうる。従って、彩度パラメータ、画素割合パラメータ及び輝度パラメータの内の何れか１つ或いは任意の組み合わせによって、不自然さ係数を算出するようにしてもよい。
【０１１２】
例えば、ＲＹ色相範囲に着目した場合、図１１の算出部１５ａは、ＲＹ色相範囲に対応する不自然さ係数γRYを、下記の７つの式（１２ａ）〜（１２ｇ）の何れか１つによって算出することが可能である。不自然さ係数γGC及びγBMについても同様である。尚、式（１２ａ）を用いたものが第１実施例に対応し、式（１２ｇ）を用いたものが第２実施例に対応している。
【０１１３】
【数１２】
2007324665.tif 000014
【０１１４】
上述した映像表示装置は、本発明の実施形態の例に過ぎず、本発明は、様々な変形例を含む。以下に、本発明に適用可能な変形例として、変形例１〜変形例４を例示する。各変形例に記載した内容は、矛盾なき限り、任意に組み合わせることが可能である。
【０１１５】
［変形例１］
上述の各実施例では、全色相範囲を６つの色相範囲に分割した場合を例示しているが、必要に応じて分割数を７以上としてもよいし、逆に５以下としても構わない。また、特定色相範囲を、ＲＹ色相範囲、ＧＣ色相範囲及びＢＭ色相範囲としたが、これはあくまで例示であり、本発明は、そのような分割の仕方に限定されない。
【０１１６】
［変形例２］
また、映像表示装置１に与えられる映像信号の色再現範囲が図１３の色再現範囲９１のように比較的狭く、表示部４の色再現範囲が図１３の色再現範囲９２のように比較的広い場合を想定したが、本発明は、これと逆も場合においても適用可能である。つまり、映像表示装置１に与えられる映像信号の色再現範囲が図１３の色再現範囲９２のように比較的広く、表示部４の色再現範囲が図１３の色再現範囲９１のように比較的狭い場合においても、上述の各実施例の手法と略同等の手法にて、色補正が可能である。
【０１１７】
［変形例３］
また、上述の各実施例は、補正係数としての不自然さ係数γ［θ］に従い、図３等の色補正部１３にて各画素の彩度を補正するようにしている（上記式（７ａ）及び（７ｂ）など参照）。しかしながら、視覚上の不自然さの軽減を実現するにあたり、補正されるべき画像情報は彩度に限られない。即ち、不自然さ係数γ［θ］に応じて、色補正部１３にて、入力画像の各画素の色相、彩度及び輝度の少なくとも１つを補正すればよい。
【０１１８】
色補正部１３にて、入力画像内の或る画素の色相を補正する場合、例えば、その画素の色相に対応する不自然さ係数γ［θ］が増大するにつれて、その画素の色相の補正の度合いをより大きくする（即ち、補正によって角度θをより大きく変化させる）。色補正部１３にて、入力画像内の或る画素の輝度を補正する場合、例えば、その画素の色相に対応する不自然さ係数γ［θ］が増大するにつれて、その画素の輝度の補正の度合いをより大きくする（即ち、補正によって輝度をより大きく変化させる）。
【０１１９】
色補正部１３にて彩度及び色相の少なくとも一方を補正する場合、色補正部１３にて行われる補正は色補正と呼ぶことができる。しかしながら、色補正部１３にて輝度のみを補正する場合は、色補正部１３にて行われる補正は色補正ではなく輝度補正となる。このため、輝度補正のみを行う場合は、色補正部１３は輝度補正部（或いは、補正部）と呼ぶべき部位となる。これらを考慮すると、図３又は図１０にて符号１０又は１０ａが付された色補正処理部は、画像補正処理部と呼ぶこともできる。
【０１２０】
［変形例４］
また、上述の各実施例は、視覚上の不自然さを軽減するための実施形態の例に過ぎず、この目的の達成に寄与する手法として、様々な他の手法を採用することもできる。
【０１２１】
例えば、赤成分を多く含む画素と緑成分を多く含む画素とが略等しい輝度を有して入力画像内に存在する場合を想定し（真っ赤な花と緑の葉が混在した入力画像など）、前者の画素を第１画素、後者の画素を第２画素と呼ぶ。この場合、表示画像がぎらついて不自然に見えるという現象が良く発生する。一方、赤と黄の組み合わせの場合や、対比画素間の輝度が比較的大きく異なる場合などでは、不自然さは少ない。
【０１２２】
そこで、入力画像の各画素の色相を少なくとも参照して、上記の第１画素及び第２画素を特定し、不自然さが軽減されるような、その入力画像に適した補正係数の算出及び該補正係数を用いた補正処理を実施するようにする。例えば、第１画素または第２画素の色相を変更するための補正係数の算出及び該補正係数を用いた補正処理を実施する（例えば、第１画素の色を赤色から朱色に変更する）。この際、第１画素と第２画素の双方の色相を補正するようにしてもよい。また例えば、補正処理によって第１画素と第２画素の輝度差が増大するように、その入力画像に適した補正係数の算出及び該補正係数を用いた補正処理を実施するようにする。この際、補正処理においては、第１画素及び第２画素の輝度の少なくとも一方が補正される。
【０１２３】
尚、第１画素が赤成分を多く含む画素であって、第２画素が緑成分を多く含む画素である場合を例示したが、その他の特定の色の組み合わせに対しても、同様の補正処理は有効であり、不自然さの軽減に寄与する。赤と黄の組み合わせなど、補正を行わずとも不自然さが殆どないような色の組み合わせに対しては、補正の度合いを小さくすれば良い（極端には、補正しない）
【０１２４】
＜＜その他の変形など＞＞
また、図３及び図１０に示す色補正処理部１０及び１０ａは、それぞれ、ハードウェア、ソフトウェア、或いは、ハードウェアとソフトウェアの組み合わせによって実現可能である。
【０１２５】
ソフトウェアを用いて、色補正処理部１０及び１０ａの機能を実現する場合、図３及び図１０は、それらの機能ブロック図を表すことになる。また、色補正処理部１０及び１０ａによって実現される機能の全部または一部をプログラムとして記述し、該プログラムをコンピュータ上で実行することによって、その機能の全部または一部を実現するようにしてもよい。
【０１２６】
図３又は図１０において、色補正処理部１０又は１０ａの全体（又は一部）は、画像補正装置（又は色補正装置）として機能する。また、不自然さ係数算出部１２又は１２ａの全体（又は一部）は、補正係数を算出する補正係数算出手段として機能する。該補正係数は、例えば、色補正或いは輝度補正などの補正の度合い（補正量）を表す。上述の各実施例において、該補正係数は、例えば、不自然さ係数γ［θ］に対応する。
【図面の簡単な説明】
【０１２７】
【図１】本発明の実施の形態に係る映像表示装置の構成ブロック図である。
【図２】図２の映像表示装置に含まれる色補正処理部の入力画像又は出力画像の画素配列を表す図である。
【図３】図１の映像表示装置に適用可能な、本発明の第１実施例に係る色補正処理部の内部ブロック図である。
【図４】色相環を表す図である。
【図５】図３の不自然さ係数算出部の内部ブロック図である。
【図６】図５における特定色相範囲内の高彩度度合算出部によって算出される彩度パラメータの算出法を説明するための図である。
【図７】図５における特定色相範囲内の不自然さ係数算出部によって算出される、色相範囲ごとの不自然さ係数を表す図である。
【図８】図５における色相毎の不自然さ係数算出部によって算出される、任意の色相に対する不自然さ係数を表す図である。
【図９】図３の色補正部の内部ブロック図である。
【図１０】図１の映像表示装置に適用可能な、本発明の第２実施例に係る色補正処理部の内部ブロック図である。
【図１１】図１０の不自然さ係数算出部の内部ブロック図である。
【図１２】図１１における特定色相範囲内の高輝度度合算出部によって算出される輝度パラメータの算出法を説明するための図である。
【図１３】撮像系と表示系の色再現範囲の相違を説明するための色度図である。
【図１４】撮像系と表示系の色再現範囲の相違に対する、従来の色補正手法を説明するための図である。
【符号の説明】
【０１２８】
１  映像表示装置
２  映像処理部
３  ドライバ
４  表示部
１０、１０ａ  色補正処理部
１１  色相・彩度算出部
１２、１２ａ  不自然さ係数算出部
１３  色補正部
【図１】
2007324665.tif 000015
【図２】
2007324665.tif 000016
【図３】
2007324665.tif 000017
【図４】
2007324665.tif 000018
【図５】
2007324665.tif 000019
【図６】
2007324665.tif 000020
【図７】
2007324665.tif 000021
【図８】
2007324665.tif 000022
【図９】
2007324665.tif 000023
【図１０】
2007324665.tif 000024
【図１１】
2007324665.tif 000025
【図１２】
2007324665.tif 000026
【図１３】
2007324665.tif 000027
【図１４】
2007324665.tif 000028